(57)【要約】【課題】パッシブ駆動方式の有機エレクトロルミネッセンスパネルにおいて、データ電極を３ブロック以上に分割した分割駆動構成を、煩雑な製造工程を経ることなく構成し、大画面化、高精細化、低電圧化を図る。【解決手段】素子の最上層に分割したデータ電極を配置し、該データ電極上に配線板を積層して、データ電極とデータドライバとの接続を図る。【選択図】　　　なし【特許請求の範囲】
【請求項１】
透明基板上に、マトリクス状に配置された複数本の走査電極と複数本のデータ電極、該電極間に挟持された少なくとも発光層を有する有機層、走査電極を駆動する走査ドライバ、データ電極を駆動するデータドライバ、を少なくとも有し、走査電極とデータ電極の交点を１画素として有機エレクトロルミネッセンス素子が構成されたパッシブ型の有機エレクトロルミネッセンスパネルであって、
上記走査電極が透明電極で且つ透明基板側に位置し、
上記データ電極が長さ方向において３以上の複数のブロックに分割され、
上記データドライバとデータ電極とを接続する配線板がデータ電極上に積層されていることを特徴とする有機エレクトロルミネッセンスパネル。
【請求項２】
上記配線板がフレキシブル配線板であり、発光領域外においてデータドライバに接続されている請求項１に記載の有機エレクトロルミネッセンスパネル。
【請求項３】
上記配線板が多層プリント基板であり、発光領域内において該多層プリント基板上にデータドライバが接続され、外部コントローラとの接続を図るフレキシブル配線板が該多層プリント基板に接続されている請求項１に記載の有機エレクトロルミネッセンスパネル。
【請求項４】
上記データ電極が陰極、走査電極が陽極である請求項１〜３のいずれかに記載の有機エレクトロルミネッセンスパネル。
【請求項５】
データドライバが電流吸い込み型、走査ドライバが電流吐き出し型である請求項１〜４のいずれかに記載の有機エレクトロルミネッセンスパネル。
【請求項６】
請求項１〜５のいずれかに記載の有機エレクトロルミネッセンスパネルの駆動方法であって、データ電極を長さ方向において分割したブロック毎に対応する走査電極を順次選択し、該走査電極の選択に同期して所定のデータ電極を選択することにより、各画素の有機エレクトロルミネッセンス素子の発光を制御する有機エレクトロルミネッセンスパネルの駆動方法。
【発明の詳細な説明】
【０００１】
【発明の属する技術分野】
本発明は、有機エレクトロルミネッセンス素子を発光素子として用いた表示パネルとその駆動方法に関する。
【０００２】
【従来の技術】
従来、各種産業機器の表示ユニットや画素に用いられている電界発光素子として、有機エレクトロルミネッセンス素子（以下、「有機ＥＬ素子」と記す）が知られている。図８に、代表的な有機ＥＬ素子の断面模式図を示す。図中、３１は透明基板、３２は陽極、３３は正孔輸送層、３４は電子輸送性の発光層、３５は陰極である。
【０００３】
ガラス等透明基板３１上には透明電極よりなる陽極３２がスパッタリングまたはＥＢ（電子ビーム）蒸着等により形成されており、その上に陽極３２から注入される正孔を輸送する有機化合物からなる正孔輸送層３３、可視領域に蛍光を有する成膜性の良い蛍光体である有機化合物からなる発光層３４、ＭｇＡｇ、ＡｌＬｉ等の仕事関数の低い金属類からなる陰極３５が順に形成されている。当該構成の有機ＥＬ素子においては、陽極３２及び陰極３５からそれぞれ正孔と電子が注入され、再結合が行われて発光する。正孔輸送層３３から陰極３５までは、一般的に透明基板３１及び陽極３２上に抵抗加熱蒸着法やＥＢ加熱蒸着等の真空薄膜形成技術を用いて形成される。各層の膜厚は、陽極３２が通常１００〜３００ｎｍ、正孔輸送層３３及び発光層３４がそれぞれ数十ｎｍ、陰極３５が１００〜３００ｎｍ程度である。
【０００４】
ここで、従来の有機ＥＬ素子の各層の代表的な材料を挙げる。陽極３２としては、酸化錫をドープした酸化インジウム（ＩＴＯ；インジウム・チン・オキサイド）、正孔輸送層３３としては、Ｎ，Ｎ’−ジフェニル−Ｎ，Ｎ’−ビス（３−メチルフェニル）−１，１’−ジフェニル−４，４’−ジアミン（以下、「ＴＰＤ」と記す）、発光層４としては、トリス（８−ヒドロキシキノリン）アルミニウム（以下、「Ａｌｑ３」と記す）、陰極３５としては、ＭｇとＡｇを１０：１の比率で共蒸着したＭｇＡｇ電極が用いられる。層構成としては、図８の構成に限定されるものではなく、正孔輸送層３３がなく有機層が発光層３４のみの構成や、陰極３５と発光層３４の間に電子輸送層を配置した構成も採用されている。
【０００５】
図８の素子において、順方向に電圧を印加すると、電子と正孔がそれぞれ陰極３５、陽極３２から移動して発光層３４において再結合することにより、その時に放出されるエネルギーにより発光する。
【０００６】
有機ＥＬ素子は低電圧での駆動が可能なこと、高輝度、高効率であるといったことから、近年その開発が盛んに行われている。さらに、フラットパネルディスプレイとして、有機ＥＬ素子をＸＹマトリクス状に配置した有機エレクトロルミネッセンスパネル（以下、「有機ＥＬパネル」と記す）の開発も進められている。有機ＥＬパネルの駆動方法としては、デューティ駆動であるパッシブ駆動方式と、スタティック駆動であるアクティブ駆動方式の２種類の方式があり、いずれの方式においても、有機ＥＬ素子を流れる電流と発光輝度とが比例関係にあり、発光輝度均一化のために通常定電流回路による駆動方法が用いられている。
【０００７】
図６に図８の有機ＥＬ素子をマトリクス配置してなるパッシブ駆動方式の有機ＥＬパネルの一例の主要部の概略構成図を示す。図中、１は透明基板、２は走査電極、２ａは走査電極引き出し部、３は正孔輸送層、４は発光層、２１はデータ電極、２１ａはデータ電極引き出し部、８は走査電極フレキシブル配線板、２２はデータ電極フレキシブル配線板である。
【０００８】
図６の構成において、マトリクス状に構成された走査電極２とデータ電極２１の交点が１画素の有機ＥＬ素子であり、図８に示した構成に相当する。よって、走査電極２が陰極、データ電極２１が陽極であるが、陰極がデータ電極、陽極が走査電極となる組み合わせも可能である。走査電極２、データ電極２１はそれぞれ透明基板１の端部まで引き出され、引き出し部２ａ、２１ａにおいて、フレキシブル配線板（以下、「ＦＰＣ」と記す）８、２２にそれぞれ不図示の異方性導電膜などを介して接続されている。ＦＰＣ８、２２はそれぞれ走査電極２、データ電極２１を不図示の走査ドライバ、データドライバに配線するための部材であり、ポリイミドやポリエステル等からなる絶縁性と可撓性を有するベースフィルムの表面に配線パターンを形成し、コンタクト部であるランドを除いて柔軟な樹脂フィルムで絶縁被覆（カバーレイ）したものである。
【０００９】
図６の有機ＥＬパネルにおいては、走査電極２が２４本、データ電極２１が２０本であり、有機ＥＬ素子が４８０ドットの構成例であるが、電極本数は当該構成に限定されるものではない。パッシブ駆動方式はデューティ駆動であるため、図６の構成では、走査ドライバは２４本の走査電極２をデューティ比１／２４で駆動することになる。ここで、表示の高精細化を図るため、パネルの走査線数を増やすと、デューティ比が大きくなるため、輝度を確保するための瞬間電流を大きく、瞬間輝度を上げる必要が生じる。しかしながら、有機ＥＬ素子の許容電流には上限があることや、瞬間電流を大きくすると有機ＥＬ素子の発熱などにより、素子の寿命を短くしてしまうという問題、また、駆動電圧が上昇してドライバの価格上昇や消費電力の増大を招くなど、様々な問題を生じてしまう。そのため、有機ＥＬパネルの走査線数には自ずと限界があり、仮にこの走査線数の限界が２４０である場合、走査線数２４０を超えるパネルはパッシブ駆動では対向できないという根本的な問題がある。
【００１０】
一方、アクティブ駆動方式においては、各有機ＥＬ素子に薄膜トランジスタ（ＴＦＴ）を配置し、該ＴＦＴで画素毎に独立して有機ＥＬ素子を駆動するため、パッシブ駆動のように走査線数の増加に伴って輝度や電流を大きくする必要が無く、大型化、高精細化への対応が可能であり、パッシブ駆動に比べて高輝度、低電圧駆動など様々な面で優れていると言える。しかしながら、アクティブ駆動方式の有機ＥＬパネルの製造プロセスは、ＴＦＴの製造プロセスと有機ＥＬパネルの製造プロセスを同一基板上に重ねている複雑な製造プロセスを必要とするため、パッシブ駆動と比べて有機ＥＬパネル自体の価格が高価になること、また、成膜プロセスの変更が容易にできないことから少量ロットで定型外の製品に対応することが困難であるなどの問題があった。
【００１１】
こうした背景を省みて提案されている技術に、パッシブ駆動方式を２分割駆動で行う、ダブルスキャンと呼ばれる駆動方式がある。図７に、従来の分割駆動方式の有機ＥＬパネルの主要部の概略構成図を、図９にその断面模式図を示す。図７、図９中、１２は封止缶、１３は吸湿剤、２３、２４はデータ電極、２３ａ、２４ａはデータ電極引き出し部、２５、２６はデータ電極ＦＰＣ、４１、４２はデータドライバであり、図６と同じ部材には同じ符号を付して説明を省略する。
【００１２】
図７の構成においては、データ電極が長さ方向において２３、２４に２分割され、データ電極２３を含むブロックとデータ電極２４を含むブロックをそれぞれを独立駆動する。従って、当該構成は実質的に２枚の有機ＥＬパネルを隣接配置した場合と同様の駆動方式となる。走査電極２、データ電極２３、２４はそれぞれ図６に例示したような非分割駆動方式と同様に、透明基板１の端部付近に引き出され、それぞれの引き出し部２ａ、２３ａ、２４ａにおいてＦＰＣ８、２５、２６に不図示の異方性導電膜を介して接続され、走査電極ＦＰＣ８は不図示の走査ドライバに、データ電極ＦＰＣ２５、２６はデータドライバ４１、４２に接続される。尚、有機ＥＬ素子が水分によって劣化し易いため、通常、有機ＥＬパネルは図９に示す如く、表示に係る発光領域を吸湿剤１３を内包して封止缶１２で封止されている。図９においては、透明基板１上に積層された、走査電極２、正孔輸送層３、発光層４、データ電極２３、２４からなる積層体を便宜上省略しているが、これら積層体は封止缶１２内に封止されており、走査電極引き出し部２ａ、データ電極引き出し部２３ａ、２４ａが封止缶１２外に引き出され、それぞれ走査電極ＦＰＣ８、データ電極２５、２６に接続されている。
【００１３】
図７の構成において、走査ドライバは、２ブロックをおのおの個別に走査するため、各ブロックに対応して２組の走査ドライバを使用する構成、共通のドライバで２つのブロックの走査線を同時に走査する構成、即ち、共通のドライバに各ブロックの走査電極の１本ずつを同時に選択させる構成が考えられる。図７の構成では走査電極が２４本あり、これらは１２本ずつのブロックに分割される。よって、走査ドライバは１２本の走査電極をデューティ比１／１２で走査することになり、データ電極を分割しない構成に比較して駆動デューティ比を半分に、即ち瞬間電流を半分に、瞬間輝度を半分にすることが実質的に可能である。従って、走査線数の上限が例えば２４０本であった有機ＥＬパネルの場合には、走査線数を４８０本まで増やすことができ、パネルの大型化、或いは高精細化が可能になる。一方で、走査線数が多くない小型パネルでも低電圧、低消費電力、高輝度の目的から、分割駆動させてデューティ比を抑えることも可能である。
【００１４】
しかしながら、上記ダブルスキャン方式は、２分割したデータ電極をそれぞれ透明基板の両端部側に設けた引き出し部２３ａ，２４ａからＦＰＣ２５、２６に接続させる方法であるため、物理的に２分割しかできず、３ブロック以上に分割して走査線数をより多くすることはできなかった。
【００１５】
パッシブ駆動方式において、データ電極を３ブロック以上に分割し、さらなる高精細化、大画面化を図る技術が、例えば、特開２０００−２９８４４６号公報に開示されている。当該技術について以下に説明する。
【００１６】
有機ＥＬ素子は、図８に例示した如く、透明基板３１上に陽極３２、正孔輸送層３３、発光層３４、陰極３５の順で積層される。そのため、陰極３５が最上層部になっている。ここで、該最上層部の位置は、図８のように、発光を取り出す（観察側）透明基板３１を下側に配置した際の最上層部を意味する。パッシブ駆動の有機ＥＬパネルでは、走査電極が陰極側、データ電極が陽極側に設定される場合が多いが、走査電極を陽極側、データ電極を陰極側に設定することも可能である。
【００１７】
特開２０００−２９８４４６号公報には、有機ＥＬ素子構成が図８に示した構成と同様で、走査電極を陰極側、データ電極を陽極側に設定し、データ電極を３分割した実施例が開示されている。当該構成において、データ電極は最下層部に位置するため、端部のブロックのデータ電極はそのまま基板端部に引き出して配線することができるが、中央のデータ電極は上層の正孔輸送層や発光層が遮蔽するため、配線することができない。当該実施例では、中央のデータ電極の配線方法として、エキシマレーザ等を利用して上層の有機層にコンタクトホールを穿ち、当該ホールを通じてＦＰＣをデータ電極に接続している。
【００１８】
しかしながら、分割走査パネルは分割部においても、他の部分と同様の画素ピッチで画素が配列されるため、画素ピッチが狭くなってくると、ＦＰＣを熱圧着して接続を図ることがスペース的に事実上不可能になる。また、エキシマレーザの照射による製造工程数の増加、またＦＰＣと有機ＥＬパネルのアライメントにかなりの高精度を必要とするなどの問題があった。
【００１９】
【発明が解決しようとする課題】
本発明の課題は、上記問題を解決し、パッシブ駆動方式の有機ＥＬパネルにおいて、大型化、高精細化、高輝度化、或いは低電圧化による消費電力の削減を図ることにあり、具体的には、製造工程の煩雑化や大幅な工程数の増加を招くことなく、３分割以上の分割走査を実現することにある。
【００２０】
【課題を解決するための手段】
本発明の第一は、透明基板上に、マトリクス状に配置された複数本の走査電極と複数本のデータ電極、該電極間に挟持された少なくとも発光層を有する有機層、走査電極を駆動する走査ドライバ、データ電極を駆動するデータドライバ、を少なくとも有し、走査電極とデータ電極の交点を１画素として有機エレクトロルミネッセンス素子が構成されたパッシブ型の有機エレクトロルミネッセンスパネルであって、
上記走査電極が透明電極で且つ透明基板側に位置し、
上記データ電極が長さ方向において３以上の複数のブロックに分割され、
上記データドライバとデータ電極とを接続する配線板がデータ電極に積層されていることを特徴とする有機エレクトロルミネッセンスパネルである。
【００２１】
本発明の第二は、本発明第一の有機エレクトロルミネッセンスパネルの駆動方法であって、データ電極を長さ方向において分割したブロック毎に対応する走査電極を順次選択し、該走査電極の選択に同期して所定のデータ電極を選択することにより、各画素の有機エレクトロルミネッセンス素子の発光を制御する有機エレクトロルミネッセンスパネルの駆動方法である。
【００２２】
【発明の実施の形態】
本発明の有機ＥＬパネルは、透明基板側に走査電極を配置し、最上層部に３ブロック以上に分割したデータ電極を配置し、該データ電極上にＦＰＣ或いは多層プリント基板等配線板を積層することで、各データ電極とデータドライバとの接続を図ったことに特徴を有する。
【００２３】
〔実施形態１〕
図１は、本発明の第一の実施形態の主要部の概略構成図である。図中、１は透明基板、２は走査電極、２ａは走査電極引き出し部、３は正孔輸送層、４は発光層、５〜７はデータ電極、８は走査電極ＦＰＣ、９はデータ電極ＦＰＣである。
【００２４】
図２に、本実施形態で用いるデータ電極ＦＰＣ９のパターン構成を模式的に示す。図中、１０は配線パターン、１１はデータ電極との接続を図るランドである。
【００２５】
また、図３に図１の有機ＥＬパネルの断面模式図を示す。図中、１４はＦＰＣ引き出し部、１５はデータドライバであり、図１、図９と同じ部材には同じ符号を付した。
【００２６】
さらに、図４に図１の有機ＥＬパネルのドライバ回路を模式的に示す。図中、１６はデータドライバ内に配列されたスイッチ、１７は有機ＥＬ素子を駆動するための電流源、１８ａ〜１８ｉは走査ドライバ内に配列されたスイッチである。
【００２７】
本実施形態は、データ電極を３ブロックに分割し、配線板としてＦＰＣを用いた構成例である。
【００２８】
本発明の有機ＥＬ素子においては、走査電極２が透明基板１側に位置する透明電極、即ち陽極であり、データ電極５〜７が上層側に位置する陰極に設定されている。さらに、データ電極は長さ方向に３以上に分割されており、本実施形態はデータ電極を５〜７の３ブロックに分割した例である。走査電極２は透明基板１の端部に引き出された引き出し部２ａにおいてＦＰＣ８に接続され、各走査電極２はブロック毎に該ＦＰＣ８を介して不図示の走査ドライバによって順次選択される。一方データ電極５〜７に接続されるＦＰＣ９は、図２に示すように、ランド１１が各データ電極５〜７に直接接続される位置に千鳥状に配置されており、該ＦＰＣ９をデータ電極５〜７上に積層することで、各データ電極５〜７とランド１１とを直接接続し、配線パターン１０を介してデータドライバ１５へと配線される。ランド１１とデータ電極５〜７との接続位置は、データ電極内のいずれでもかまわないため、図２に示すように、隣接するデータ電極間でランド１１の位置をずらせて接続することが可能であり、狭い画素ピッチにも容易に対応することができる。また、ＦＰＣ９はその可撓性により、封止缶ＦＰＣ引き出し部１４より封止缶１２外へ引き出すことが容易で、該引き出し部において、データドライバ１５に接続することができる。
【００２９】
次に、データ電極５〜７とＦＰＣ９との接続方法について説明する。従来、ＦＰＣと透明基板端部における電極引き出し部との配線は、異方性導電膜による接続が広く採用されている。ＦＰＣと透明基板上の電極引き出し部との間に異方性導電膜を挟み、加熱加圧させて圧着させることで、異方性導電膜のバインダー中の導電粒子をつぶし、電極とＦＰＣとの接続を図る方法である。異方性導電膜の圧着プロセスは、温度、圧力、時間を一定のプロセス条件下で制御して行われるものであるが、従来、透明基板としては耐熱性の高いガラス基板が用いられていることもあって、温度は、例えば約２００℃といった高温で制御されている。本発明においては、図１に示すように、有機ＥＬ素子を覆ってＦＰＣ９を配置し、直接データ電極５〜７とＦＰＣ９のランド１１とを導通させる構造であるため、異方性導電膜を使用した接続方法を採用する場合には、低温低圧タイプの異方性導電膜を選択する必要がある。圧着時の圧力は有機ＥＬ素子の製造プロセスによるが、温度は好ましくは８５〜１００℃である。また、１００℃以下で接続しうるものであれば、異方性導電膜以外の接続方法を用いてもかまわない。
【００３０】
次いで、本実施形態の有機ＥＬパネルの駆動方法を例に本発明の有機ＥＬパネルの駆動方法を図４を用いて説明する。
【００３１】
図４においては、走査電極２は９本、データ電極５〜７は各９本で模式的に示しているが、本発明は当該構成に限定されるものではない。走査ドライバは主にスイッチ１８ａ〜１８ｉにより構成され、選択走査線をＶｃｃに、非選択走査線をＧＮＤに接続する。本例では、走査ドライバはスイッチ１８ａ〜１８ｃによるブロック、１８ｄ〜１８ｆによるブロック、１８ｇ〜１８ｉによるブロックで夫々走査を行い、各ブロック内で常に一つのスイッチがＶｃｃ側に切り換えられている。図４においては、スイッチ１８ｃ、１８ｆ、１８ｉが選択されている状態を示し、次の走査においてはスイッチ１８ａ、１８ｄ、１８ｇが、さらにその次の走査においては１８ｂ、１８ｅ、１８ｈが、順次Ｖｃｃ側に切り換えられて、各ブロックにおいて走査電極が順次選択される。
【００３２】
データドライバは、スイッチ１６と電流源１７とからなり、走査ドライバの走査タイミングに同期して、選択データ電極のスイッチ１６をオンし、当該走査線の所望の有機ＥＬ素子を発光させ、有機ＥＬパネル上で所望の画像を形成する。
【００３３】
本例では、データ電極が３ブロックに分割されているため、定電流源１７、スイッチ１６から構成される各列のドライブ部が、駆動する各データ電極毎に必要になるため、ドライブ部はデータ電極を分割しない構成（例えば図６のパネル構成）に比較して３倍必要になる。
【００３４】
また、本発明の有機ＥＬパネルにおいては、走査電極が透明基板側に位置する透明電極となるため、通常、ＩＴＯ等透明導電材で構成される陽極となる。従って、走査ドライバは電流吐き出し型、データドライバは電流吸い込み型である。
【００３５】
本発明によれば、配線板とデータ電極とをデータ電極上で直接接続するため、３分割以上の分割駆動が可能となる。また、データ電極が最上層に位置するため、特開２０００−２９８４４６号公報に示されるようなデータ電極を下層に位置した場合のような、レーザ等を使用した複雑な接続工程を必要とせず、製造上も有利である。その結果、パッシブ駆動方式においても、データ電極の分割数を増やしてデューティ比を抑えることが可能となり、パネルの大型化、高輝度化、低駆動電圧化を容易な製造方法で実現することができる。
【００３６】
また、従来の非分割駆動や２分割駆動の有機ＥＬパネルでは、走査電極、データ電極の両方を透明基板端部に引き出してＦＰＣを接続していたが、本発明では、データ電極上にＦＰＣ等配線板を積層して直接データ電極と接続させるため、データ電極を引き出す領域を透明基板端部に設ける必要が無く、パネルの狭額縁化の効果も得られる。
【００３７】
〔実施形態２〕
図５に本発明の第二の実施形態の有機ＥＬパネルの断面模式図を示す。図中、１９は多層プリント基板、２０はＦＰＣであり、図３と同じ部材には同じ符号を付して説明を省略する。
【００３８】
本実施形態が先の実施形態１と異なる点は、配線板として多層プリント基板１９を用い、封止缶１２内において該多層プリント基板１９上にデータドライバ１５が接続され、多層プリント基板１９に接続されたＦＰＣ２０が封止缶ＦＰＣ引き出し部１４を経て封止缶１２外に引き出されている点にある。
【００３９】
本実施形態で用いられた多層プリント基板１９にも、実施形態１で用いたＦＰＣ９と同様に分割された各データ電極に対応して千鳥配置されたランドと配線パターンが形成されており、該多層プリント基板１９のランドと配線パターンを経由して、データ電極はデータドライバ１５に接続される。本実施形態で用いられる多層プリント基板１９も、実施形態１のＦＰＣ９と同様に、低温低圧タイプの異方性導電膜などによりデータ電極に接続される。また、ＦＰＣ２０は、データドライバ１５と、不図示のコントローラとの間で信号線及び電源線のみの接続を担うため、実施形態１で用いたＦＰＣ９に比べると信号線数が極めて少ない。
【００４０】
本実施形態においても、実施形態１と同様に、パッシブ駆動方式におけるデューティ比を抑え、パネルの大型化、高輝度化、低駆動電圧化を容易な製造方法で実現することができる。
【００４１】
さらに本実施形態では、多層プリント基板１９を用いたことにより、配線数と有機ＥＬ素子とのアライメントの安定性が向上し、パネルとしての剛性も向上する。また、多層プリント基板１９にデータドライバ１５を実装できることから、該多層プリント基板１９から外部への接続を担うＦＰＣ２０の信号線数も抑えることができ、省スペース化を図ることができる。
【００４２】
上記実施形態１、２の説明においては、本発明の有機ＥＬパネルの特徴的な構成についてのみ説明したが、各部材の材料や製造工程は従来と同様であり、特に本発明において限定されるものではない。従って、有機ＥＬ素子としては電極間に少なくとも発光層を挟持していれば良く、具体的には図８に示した構成と同様の構成をとることができ、さらに、発光層４や正孔輸送層３といった電極間に挟持される有機層については、図８の構成以外の、一般に有機ＥＬ素子として用いられている構成を利用できることはいうまでもない。
【００４３】
【発明の効果】
以上説明したように、本発明によれば、安価なパッシブ駆動方式の有機ＥＬパネルにおいても、製造工程に複雑な工程を加えることなく、３分割以上の分割駆動構成をとることができ、駆動デューティ比を抑えることができる。その結果、アクティブ駆動方式の有機ＥＬパネルと同等の大型化、高輝度化、低電圧化による消費電力削減、長寿命化が実現する。さらに、データ電極を引き出す領域を透明基板端部に設ける必要がなく、パネルの狭額縁化の効果も得られる。
【図面の簡単な説明】
【図１】本発明の有機ＥＬパネルの一実施形態の主要部の概略構成図である。
【図２】図１の実施形態に用いられているデータ電極ＦＰＣのパターン構成を示す模式図である。
【図３】図１の実施形態の断面模式図である。
【図４】図１の実施形態のドライバ回路の模式図である。
【図５】本発明の有機ＥＬパネルの他の実施形態の断面模式図である。
【図６】パッシブ駆動方式の有機ＥＬパネルの一例の主要部の概略構成図である。
【図７】従来の２分割駆動方式の有機ＥＬパネルの主要部の概略構成図である。
【図８】有機ＥＬ素子の一例の断面模式図である。
【図９】図７の有機ＥＬパネルの断面模式図である。
【符号の説明】
１　透明基板
２　走査電極
２ａ　走査電極引き出し部
３　正孔輸送層
４　発光層
５〜７　データ電極
８　走査電極フレキシブル配線板（ＦＰＣ）
９　データ電極フレキシブル配線板（ＦＰＣ）
１０　配線パターン
１１　ランド
１２　封止缶
１３　吸湿剤
１４　封止缶引き出し部
１５　データドライバ
１６　スイッチ
１７　電流源
１８ａ〜１８ｉ　スイッチ
１９　多層プリント基板
２０　フレキシブル配線板（ＦＰＣ）
２１、２３、２４　データ電極
２１ａ、２３ａ、２４ａ　データ電極引き出し部
２２、２５、２６　データ電極フレキシブル配線板（ＦＰＣ）
３１　透明基板
３２　陽極
３３　正孔輸送層
３４　発光層
３５　陰極
４１、４２　データドライバ
【図１】
2004077572.tif 000002
【図２】
2004077572.tif 000003
【図３】
2004077572.tif 000004
【図４】
2004077572.tif 000005
【図５】
2004077572.tif 000006
【図６】
2004077572.tif 000007
【図７】
2004077572.tif 000008
【図８】
2004077572.tif 000009
【図９】
2004077572.tif 000010